(57)【要約】【課題】人工光源を用いて、つる植物を誘引するつる植物の登攀材及び緑化装置を提供する。【解決手段】つる植物の登攀材３１ｃは、つる植物Ｐｖを登攀自在に略鉛直方向に配置されている。登攀材３１ｃは、内部に空洞を有する透明なパイプ部材で構成している。登攀材３１ｃは、一つ以上の少なくとも白色のＬＥＤ３ｄを登攀材３１ｃの上部の内部に配置している。ＬＥＤ３ｄを夜間の時間帯に発光させることで、人手を要することなく、ＬＥＤ３ｄが発光する方向につる植物を誘引できる。緑化装置１０は、色相の異なる複数の有彩色のＬＥＤ３ｄを混在して登攀材３１ｃに配置することで、緑化装置１０の室内装飾性を向上できる。【選択図】図１
2019103445.tif 000002
【特許請求の範囲】
【請求項１】
つる植物を登攀自在に略鉛直方向に配置された、つる植物の登攀材であって、
前記つる植物を上方に誘引できる光を発光する照明手段を前記登攀材の上部に備えている、つる植物の登攀材。
【請求項２】
前記登攀材は、内部に空洞を有する透明なパイプ部材からなり、
前記照明手段は、前記パイプ部材の上部の内部に配置された一つ以上の白色のＬＥＤを含んでいる、請求項１記載のつる植物の登攀材。
【請求項３】
前記パイプ部材は、合成樹脂管からなる、請求項２記載のつる植物の登攀材。
【請求項４】
前記照明手段は、前記パイプ部材の上部の内部に配置され、色相の異なる複数の有彩色のＬＥＤを含んでいる、請求項２又は３記載のつる植物の登攀材。
【請求項５】
請求項１から４のいずれかに記載のつる植物の登攀材を略水平方向に連設した緑化柵を自立した緑化装置であって、
つる植物を植栽した一つ以上のプランターを上部から収容自在な直方体状のプランター収容箱と、
前記プランター収容箱を搭載自在に複数の金属部材を長方形状に枠組みした台座を有し、前記プランター収容箱の両端部を貫通自在な一対の管状部材を略平行に前記台座の両端部から立設した架台と、を備え、
前記緑化柵は、下部側を前記管状部材に挿入自在に対向配置した一対の支柱部材と、
略水平方向に配置され、一対の前記支柱部材の上部側を接合した一つ以上のバー部材と、
中央部を前記バー部材に接合し、両端部を前記登攀材の外面に接合し、略水平方向に配置した複数の補助部材と、を有している、緑化装置。
【請求項６】
平面視において、複数の前記登攀材を千鳥状に配列している、請求項５記載の緑化装置。
【発明の詳細な説明】
【技術分野】
【０００１】
本発明は、つる植物の登攀材及びこれを備える緑化装置に関する。特に、プランターなどに植栽したつる植物を登攀させた登攀材及びこれを備える緑化装置であって、人工光源を用いて、つる植物を積極的に誘引すると共に、室内装飾性に優れた、つる植物の登攀材及びこれを備える緑化装置の構造に関する。
【背景技術】
【０００２】
近年では、建物の外壁に植物を植える壁面緑化がヒートアイランド現象の緩和及び省エネルギー化に役立つとして、注目されている。壁面緑化には、登攀式、下垂式、補助材式、又は、ユニット式などの様々な工法が提案又は実施されている。
【０００３】
登攀式壁面緑化工法は、壁面などに付着自在な付着根を有するつる植物を壁面に自立登攀させることで、建物の壁面を緑化できる。登攀式壁面緑化工法は、低コストで緑化できるメリットを有しているが、付着根を有する付着性植物に限定されるという制約がある。
【０００４】
下垂式壁面緑化工法は、屋上又はベランダに設置したプランターから植物を壁面に沿って垂らすことで、建物の壁面を緑化できる。補助材式壁面緑化工法は、ワイヤーなどの補助材を用いて、つる植物を登攀又は下垂させることで、建物の壁面を緑化できる。ユニット式壁面緑化工法は、つる植物を誘引・巻付け自在なユニットを用いて、建物の壁面を緑化できる。
【０００５】
一方、プランターに植栽したつる植物を登攀させた緑化柵を形成した緑化装置であって、緑化柵を建物の内部の日除け又は仕切り（パーテーション）として利用することで、直射日光から建物の内部を遮蔽すると共に、建物の内部の景観を向上できる移動式の緑化装置が開示されている（例えば、特許文献１参照）。
【０００６】
一般に、植物は、光をエネルギー源として、光合成と光形態形成の光反応により、生長することが知られている。近年では、天候、気候、害虫などの自然環境に影響されないように、人工光源を用いて、植物を育成する植物栽培装置が開発されている。そして、人工光源を用いた植物栽培装置の実用化が進展している。
【０００７】
例えば、人工光源を用いて、野菜などの植物を栽培すると共に、家屋のリビング又は廊下などに配置して、栽培中の植物を観賞するのに適した、植物栽培装置が開示されている（例えば、特許文献２参照）。
【先行技術文献】
【特許文献】
【０００８】
【特許文献１】特開２０１５−１１２１００号公報
【特許文献２】特開２０１４−１１９７０号公報
【発明の概要】
【発明が解決しようとする課題】
【０００９】
図１０は、従来技術による植物栽培装置の構成を示す斜視図である。図１１は、図１０の要部を拡大した右側面図である。なお、本願の図１０と図１１は、特許文献２の図１と図２に相当している。
【００１０】
図１０又は図１１を参照すると、従来技術による植物栽培装置９は、テーブルタイプの架台９１と箱状の栽培トレイ９２を備えている。又、植物栽培装置９は、栽培プレート９３、照明装置９４、及び、傾斜板９５を備えている。
【００１１】
図１０又は図１１を参照すると、架台９１は、平坦な天板９１ｔと四本の支持脚９１ｆを連結して骨組みしている。又、架台９１は、棚板９１ｓを中間部に取り付けている。更に、架台９１は、背面板９１ｂを背面に取り付けている。背面板９１ｂは、天板９１ｔと棚板９１ｓの間に配置されている。
【００１２】
図１０又は図１１を参照すると、栽培トレイ９２は、棚板９１ｓに載置されている。栽培トレイ９２は、架台９１の前面から出し入れできる。栽培トレイ９２は、水耕栽培用のプランター９２ａと循環ポンプ９２ｂを内部に配置している。プランター９２ａは、液肥を内部に収容している。循環ポンプ９２ｂを駆動すると、プランター９２ａの底部から液肥を吸引して、プランター９２ａに液肥を循環できる。これにより、野菜などの植物Ｐｂの根から養分が吸収されて稀薄化した液肥を、養分が濃い液肥としてプランター９２ａに循環できる。
【００１３】
図１１を参照すると、栽培プレート９３は、栽培トレイ９２の上面開口を封鎖すると共に、下り傾斜した状態で配置されている。又、図１０を参照すると、栽培プレート９３は、プランター９２ａと対向する位置に、複数の円形開口９３ｈを開口している。これらの円形開口９３ｈに、例えばウレタンスポンジ９３ｓを取り付けて、野菜などの植物Ｐｂを植栽することで、植物Ｐｂの根をプランター９２ａの内部の液肥に浸漬できる。
【００１４】
図１１を参照すると、照明装置９４は、複数の発光ダイオード９４ｄ、プリント基板９４ｐ、及び、放熱板９４ｈを備えている。複数の発光ダイオード９４ｄは、プリント基板９４ｐの一方の面に実装している。発光ダイオード９４ｄは、野菜などの植物Ｐｂを栽培するに適した波長の光を植物Ｐｂに向かって出射できる。
【００１５】
図１１を参照すると、放熱板９４ｈは、プリント基板９４ｐの他方の面に実装している。放熱板９４ｈで温められた空気は、天板９１ｔの背後側に開口した排熱口９１ｈから大気に排出できる。
【００１６】
図１０又は図１１を参照すると、傾斜板９５は、電源９５１、誘虫灯９５２、及び、捕虫器９５３を上面に配置している。電源９５１は、照明装置９４に電力を供給できる。誘虫灯９５２は、紫外線などを出射するランプからなり、虫を誘引できる。捕虫器９５３は、例えば、剥離自在な粘着シートを堆積しており、粘着シートで捕獲した虫を粘着シートごと廃棄できる。
【００１７】
図１０又は図１１を参照すると、背面板９１ｂは、乱反射する面を架台９１の内部側に向けた反射板９１ｒを固定している。これにより、照明装置９４から出射した光を植物Ｐｂに向けて反射できる。
【００１８】
図１０又は図１１を参照すると、特許文献２による植物栽培装置９は、栽培プレート９３が野菜などの植物Ｐｂの取り出し側に下り傾斜しているので、植物Ｐｂの取り出しが容易であると共に、植物Ｐｂの取り出し側から植物Ｐｂの生育の様子が見易く、植物Ｐｂの取り出し側から植物Ｐｂを好適に観賞できる、としている。
【００１９】
又、図１０又は図１１を参照すると、特許文献２による植物栽培装置９は、植物Ｐｂの取り出し側と反対の方向に、照明装置９４の光照射面が向くように傾斜配置されているので、照明装置９４から照射される光が直接に目に入ることを抑制できる、としている。
【００２０】
ところで、つる植物を自然光で人手を掛けずに育成すると、つる植物が生長する過程で、つる植物同士が絡まることがある。又、つる植物を自然光で人手を掛けずに育成すると、つる植物の育成者の意図しない方向に、つる植物が生長することがある。
【００２１】
このため、起立させた支柱などの登攀材に、つる植物の茎を紐などで緩やかに結束することで、つる植物を生長させたい方向に導くことができる。つまり、つる植物を生長させたい方向に誘引できる。
【００２２】
しかし、つる植物の茎や枝を支柱などの登攀材に結束して、つる植物を誘引する園芸作業は、定期的に実施することが必要であるので、人手を要することなく、つる植物を誘引できるつる植物の登攀材及びこれを備える緑化装置が望まれていた。そして、以上のことが本発明の課題といってよい。
【００２３】
本発明は、このような課題に鑑みてなされたものであり、人工光源を用いて、登攀材に登攀するつる植物を誘引することで、剪定作業の頻度を低減できる、つる植物の登攀材及びこれを備える緑化装置を提供することを目的とする。
【課題を解決するための手段】
【００２４】
本発明者らは、透明な管状部材でつる植物の登攀材を構成し、一つ以上の少なくとも白色のＬＥＤを管状部材の上部の内部に配置し、ＬＥＤを夜間の時間帯に発光させることで、人手を要することなく、ＬＥＤが発光する方向につる植物を誘引できると考え、これに基づいて、以下のような新たなつる植物の登攀材及びこれを備える緑化装置を発明するに至った。
【００２５】
（１）本発明によるつる植物の登攀材は、つる植物を登攀自在に略鉛直方向に配置された、つる植物の登攀材であって、前記つる植物を上方に誘引できる光を発光する照明手段を前記登攀材の上部に備えている。
【００２６】
（２）前記登攀材は、内部に空洞を有する透明なパイプ部材からなり、前記照明手段は、前記パイプ部材の上部の内部に配置された一つ以上の白色のＬＥＤを含んでいることが好ましい。
【００２７】
（３）前記パイプ部材は、合成樹脂管からなることが好ましい。
【００２８】
（４）前記照明手段は、前記パイプ部材の上部の内部に配置され、色相の異なる複数の有彩色のＬＥＤを含んでいることが好ましい。
【００２９】
（５）本発明による緑化装置は、（１）から（４）のいずれかに記載のつる植物の登攀材を略水平方向に連設した緑化柵を自立した緑化装置であって、つる植物を植栽した一つ以上のプランターを上部から収容自在な直方体状のプランター収容箱と、前記プランター収容箱を搭載自在に複数の金属部材を長方形状に枠組みした台座を有し、前記プランター収容箱の両端部を貫通自在な一対の管状部材を略平行に前記台座の両端部から立設した架台と、を備え、前記緑化柵は、下部側を前記管状部材に挿入自在に対向配置した一対の支柱部材と、略水平方向に配置され、一対の前記支柱部材の上部側を接合した一つ以上のバー部材と、中央部を前記バー部材に接合し、両端部を前記登攀材の外面に接合し、略水平方向に配置した複数の補助部材と、を有している。
【００３０】
（６）本発明による緑化装置は、平面視において、複数の前記登攀材を千鳥状に配列していることが好ましい。
【発明の効果】
【００３１】
本発明によるつる植物の登攀材は、透明な管状部材でつる植物の登攀材を構成し、一つ以上の少なくとも白色のＬＥＤを管状部材の上部の内部に配置し、ＬＥＤを夜間の時間帯に発光させることで、人手を要することなく、ＬＥＤが発光する方向につる植物を誘引できる。
【００３２】
本発明による緑化装置は、つる植物の登攀材を略水平方向に連設し、透明な管状部材の内部に色相の異なる複数の有彩色のＬＥＤを配置することで、室内装飾性を向上できる。
【図面の簡単な説明】
【００３３】
【図１】本発明の一実施形態によるつる植物の登攀材及び緑化装置の構成を示す斜視図であり、つる植物を登攀させた緑化柵をプランター収容箱に自立させた状態図である。
【図２】前記実施形態によるつる植物の登攀材及び緑化装置の構成を示す斜視図である。
【図３】前記実施形態によるつる植物の登攀材及び緑化装置を示す図であり、図３（Ａ）は、緑化装置の平面図、図３（Ｂ）は、緑化装置の正面図である。
【図４】前記実施形態によるつる植物の登攀材及び緑化装置の構成を示す図であり、図４（Ａ）は、図３（Ｂ）のＢ−Ｂ矢視断面図、図４（Ｂ）は、緑化装置の左側面図である。
【図５】前記実施形態によるつる植物の登攀材及び緑化装置を示す縦断面図であり、プランター収容箱の長手方向に沿って、緑化装置の中央部を断面で示した状態図である。
【図６】前記実施形態によるつる植物の登攀材及び緑化装置を示す平面図であり、図５のＦ−Ｆ矢視断面図である。
【図７】前記実施形態によるつる植物の登攀材及び緑化装置を示す縦断面図であり、図７（Ａ）は、図５のＥ−Ｅ矢視断面図、図７（Ｂ）は、図５のＤ−Ｄ矢視断面図である。
【図８】前記実施形態による緑化装置の構成を示す斜視分解組立図である。
【図９】前記実施形態による緑化装置に備わる緑化柵の構成を示す斜視図である。
【図１０】従来技術による植物栽培装置の構成を示す斜視図である。
【図１１】図１０の要部を拡大した右側面図である。
【発明を実施するための形態】
【００３４】
以下、図面を参照して本発明を実施するための形態を説明する。
［つる植物の登攀材及び緑化装置の構成］
最初に、本発明の一実施形態によるつる植物の登攀材及び緑化装置の構成を説明する。
【００３５】
図１は、本発明の一実施形態によるつる植物の登攀材及び緑化装置の構成を示す斜視図であり、つる植物を登攀させた緑化柵をプランター収容箱に自立させた状態図である。図２は、前記実施形態によるつる植物の登攀材及び緑化装置の構成を示す斜視図である。
【００３６】
図３は、前記実施形態によるつる植物の登攀材及び緑化装置を示す図であり、図３（Ａ）は、緑化装置の平面図、図３（Ｂ）は、緑化装置の正面図である。
【００３７】
図４は、前記実施形態によるつる植物の登攀材及び緑化装置の構成を示す図であり、図４（Ａ）は、図３（Ｂ）のＢ−Ｂ矢視断面図、図４（Ｂ）は、緑化装置の左側面図である。
【００３８】
図５は前記実施形態によるつる植物の登攀材及び緑化装置を示す縦断面図であり、プランター収容箱の長手方向に沿って、緑化装置の中央部を断面で示した状態図である。図６は、前記実施形態によるつる植物の登攀材及び緑化装置を示す平面図であり、図５のＦ−Ｆ矢視断面図である。
【００３９】
図７は、第前記実施形態によるつる植物の登攀材及び緑化装置を示す縦断面図であり、図７（Ａ）は、図５のＥ−Ｅ矢視断面図、図７（Ｂ）は、図５のＤ−Ｄ矢視断面図である。
【００４０】
図８は、前記実施形態による緑化装置の構成を示す斜視分解組立図である。図９は、前記実施形態による緑化装置に備わる緑化柵の構成を示す斜視図である。
【００４１】
（全体構成）
次に、本発明の一実施形態によるつる植物の登攀材及び緑化装置の全体構成を説明する。図１から図９を参照すると、本発明の一実施形態による緑化装置１０は、直方体状のプランター収容箱１、架台２、及び、緑化柵３を備えている。又、緑化装置１０は、複数の証明手段となる球状のＬＥＤ３ｄを更に備えている。
【００４２】
図１から図８を参照すると、プランター収容箱１は、上面を開口した収容室１１ｒを有している（図４（Ｂ）又は図参照）。収容室１１ｒには、二つのプランター１ｐ・１ｐを収容している（図５又は図６参照）。図１から図６に示した実施形態では、二つのプランター１ｐ・１ｐをプランター収容箱１の長手方向に連設している。
【００４３】
図１又は図６を参照すると、プランター１ｐには、つる植物Ｐｖを植栽している。実施形態では、土壌を収容した円筒状のポット１１ｐにつる植物Ｐｖを植栽し、複数のポット１１ｐをプランター１ｐに収容している（図３（Ａ）又は図８参照）。プランター１ｐ及びポット１１ｐは、市販品を使用することもできる。
【００４４】
図８を参照すると、架台２は、台座２１と一対の管状部材２１ｐ・２１ｐを有している。台座２１は、複数の金属部材を互いに接合して、長方形状に枠組みしている。台座２１には、プランター収容箱１を搭載できる。又、一対の管状部材２１ｐ・２１ｐは、台座２１の両端部から立設している。
【００４５】
図８を参照すると、一対の管状部材２１ｐ・２１ｐは、略平行に配置されている。又、一対の管状部材２１ｐ・２１ｐは、プランター収容箱１の両端部を貫通している（図１から図３又は図５参照）。
【００４６】
図１から図３又は図５を参照すると、緑化柵３は、一対の支柱部材３１ｐ・３１ｐ、一組のバー部材３１ｂ・３１ｂ、及び、複数の棒状の第１の登攀材（以下、登攀材と略称する）３１ｃを備えている。一対の支柱部材３１ｐ・３１ｐは、対向配置されている。支柱部材３１ｐは、その下端部側を管状部材２１ｐに挿入できる。
【００４７】
図１から図３又は図５を参照すると、一組のバー部材３１ｂ・３１ｂは、それらの両端部を一対の支柱部材３１ｐ・３１ｐの外周に溶着などで接合している。一方のバー部材３１ｂは、一対の支柱部材３１ｐ・３１ｐの上端部に接合している。他方のバー部材３１ｂは、一対の支柱部材３１ｐ・３１ｐの中間部に接合している。そして、一組のバー部材３１ｂ・３１ｂは、略水平方向に配置されている。
【００４８】
図１から図５を参照すると、登攀材３１ｃは、棒状の補助部材３１ａを介して、バー部材３１ｂに連結している。補助部材３１ａは、その中間部をバー部材３１ｂに溶着などで接合している。又、補助部材３１ａは、その両端部を一組の登攀材３１ｃ・３１ｃの外周に溶着などで接合している。両端部に配置された補助部材３１ａは、その一端部を支柱部材３１ｐの外周に溶着などで接合している。そして、複数の登攀材３１ｃは、略平行に略鉛直方向に配置されている。プランター１ｐの上方に複数の登攀材３１ｃを配置することで、つる植物Ｐｖを登攀材３１ｃに登攀できる（図１参照）。
【００４９】
図１から図９を参照すると、実施形態による緑化装置１０は、つる植物Ｐｖを植栽したプランター１ｐを収容した直方体状のプランター収容箱１と、プランター収容箱１を設置し、プランター収容箱１の両端部を貫通自在な一対の管状部材２１ｐ・２１ｐを両端部から立設した架台２と、一対の支柱部材３１ｐ・３１ｐを一対の管状部材２１ｐ・２１ｐに差し込んで自立させ、つる植物Ｐｖを登攀自在な複数の登攀材３１ｃを有する緑化柵３と、登攀材３１ｃの上部に配置され、つる植物Ｐｖを上方に誘引できる光を発光する複数のＬＥＤ３ｄと、を備え、これらのＬＥＤ３ｄを夜間の時間帯に発光させることで、人手を要することなく、ＬＥＤ３ｄが発光する方向につる植物Ｐｖを誘引できる。
【００５０】
（登攀材の構成）
次に、実施形態による登攀材３１ｃの構成を説明する。図１から図５及び図７又は図９を参照すると、登攀材３１ｃは、両端部を開口し、内部に空洞を有する透明なパイプ部材で構成している。登攀材３１は、アクリル樹脂などの剛体の合成樹脂管からなることが好ましい。図１又は図２及び図４又は図９を参照すると、登攀材３１ｃは、照射手段となる複数のＬＥＤ３ｄを上部の内部に備えている。
【００５１】
図１又は図２及び図４又は図９を参照すると、ＬＥＤ３ｄは、発光デバイスを内部に有し、絶縁性を有する透明な球体で発光デバイスが封鎖されている。複数のＬＥＤ３ｄは、リード線３１ｒで電気的に並列接続されている。
【００５２】
図１又は図２及び図４又は図９を参照すると、リード線３１ｒの一端部には、円板状のエンドキャップ３１ｅを取り付けている。ＬＥＤ３ｄ付きリード線３１ｒを登攀材３１ｃの上部から内部に挿通し、エンドキャップ３１ｅが登攀材３１ｃの上端縁に当接することで、複数のＬＥＤ３ｄを同軸上に配置できる。エンドキャップ３１ｅは、登攀材３１ｃの上端縁に接着しておくことが好ましい。登攀材３１ｃの下端部には、リード線３１ｒを損傷から保護するためのグロメット３１ｇを取り付けておくことが好ましい。
【００５３】
図１又は図２及び図４又は図９を参照すると、ＬＥＤ３ｄは、白色の光を発光するＬＥＤを含むことができ、青・赤・緑の３色を混色して発光することで、太陽光に近い自然な白色光を発色できる。白色光を発色できる複数のＬＥＤ３ｄをパイプ部材の上部の内部に配置することで、つる植物ＰｖがＬＥＤ３ｄに向かって生長することが期待できる。つまり、つる植物Ｐｖを登攀材３１ｃの上方に誘引できる。
【００５４】
図１又は図２及び図４又は図９を参照すると、白色もＬＥＤ３ｄは、奥側の全ての登攀材３１ｃに配置しているが、手前側の登攀材３１ｃには、赤・青・緑など色相の異なる複数の有彩色のＬＥＤ３ｄを混在して配置してもよく、登攀材３１ｃ毎に同色のＬＥＤ３ｄを配置することが好ましい。手前側の登攀材３１ｃには、白色のＬＥＤ３ｄを混在してもよく、色相の異なる複数の有彩色のＬＥＤ３ｄを混在して登攀材３１ｃに配置することで、緑化装置１０の室内装飾性を向上できる。
【００５５】
（プランター収容箱の構成）
次に、第１実施形態によるプランター収容箱１の構成を説明する。図１から図８を参照して、プランター収容箱１は、合成樹脂からなることが好ましく、合成樹脂を成形して、内部に一つ以上のプランター１ｐを収容自在な直方体状のプランター収容箱１を得ることができる。
【００５６】
図４（Ａ）を参照すると、プランター収容箱１は、上面から窪んだ段部１１ｄを有している。一方、プランター１ｐは、外側に張り出した鍔部１１ｆを上部に形成している（図８参照）。一対の鍔部１１ｆ・１１ｆを段部１１ｄに設置することで、プランター１ｐの底面が収容室１１ｒの底面から所定の距離を設けて、プランター１ｐをプランター収容箱１に配置できる。
【００５７】
図８を参照すると、プランター収容箱１は、段部１１ｄに連通した複数の逃げ部１１ｅを有している。対向する一対の逃げ部１１ｅ・１１ｅに指を挿入でき、一対の鍔部１１ｆ・１１ｆを把持することで、プランター収容箱１からプランター１ｐを取り出すことができる。
【００５８】
図５から図８を参照すると、プランター収容箱１は、二つの仕切り板１２・１３を備えている。一方の仕切り板１２は、一対のアリガタのレール１２ｒ・１２ｒを両側部に形成している（図６参照）。一方、プランター収容箱１は、一対のレール１２ｒ・１２ｒを案内する一対のアリ溝１２ｓ・１２ｓを内壁に形成している（図８参照）。
【００５９】
図５から図８を参照すると、他方の仕切り板１３は、一対のアリガタのレール１３ｒ・１３ｒを両側部に形成している（図６参照）。一方、プランター収容箱１は、一対のレール１３ｒ・１３ｒを案内する一対のアリ溝１３ｓ・１３ｓを内壁に形成している（図８参照）。
【００６０】
図６又は図９を参照して、二つの仕切り板１２・１３をプランター収容箱１の内部に設置することで、プランター１ｐの鍔部１１ｆを二つの仕切り板１２・１３の上面に設置できる。そして、プランター収容箱１に対して、プランター１ｐの長手方向の移動を規制できる（図５参照）。
【００６１】
図５から図８を参照すると、プランター収容箱１は、水中ポンプ１４ｐ、散水管１４１、及び、水位計１４２を更に備えている。水中ポンプ１４ｐは、プランター収容箱１の底部に設置している（図５又は図７（Ｂ）参照）。水中ポンプ１４ｐの上方は、蓋板１５で覆っている（図５又は図８参照）。
【００６２】
図５から図８を参照すると、散水管１４１は、プランター収容箱１の長手方向に沿って、複数のプランター１ｐの上方に配置されている（図５参照）。散水管１４１は、その一端部を水中ポンプ１４ｐに接続している。又、散水管１４１は、その他端部を閉塞している。更に、散水管１４１は、多数の散水孔を直線部の外周に開口している。
【００６３】
図５又は図７を参照すると、プランター収容箱１は、培養液Ｃｆを内部に貯留している。水中ポンプ１４ｐを駆動すると、培養液Ｃｆを吸引し、培養液Ｃｆを散水管１４１に送出できる。そして、培養液Ｃｆを複数のポット１１ｐに散水できる（図３（Ａ）又は図８参照）。又、余剰の培養液Ｃｆは、プランター収容箱１の底部に循環される。水中ポンプ１４ｐを駆動する時間は、例えば、１日１回５分程度とし、タイマーなどを設置して管理することもできる。
【００６４】
図５又は図７を参照すると、水位計１４２は、一方の仕切り板１２に着脱自在に固定されている。水位計１４２は、その末端部をプランター収容箱１の底面に近接している。水位計１４２は、球状のフロート１４ｆを内部に配置している。培養液Ｃｆの水位に対応して、フロート１４ｆが上下方向に変位することで、培養液Ｃｆの水位を検出できる。
【００６５】
（カバー部材の構成）
図１又は図２及び図４（Ａ）又は図８を参照すると、プランター収容箱１は、一対の逆Ｙ字状のカバー部材１６・１６を更に備えている。カバー部材１６は、プランター収容箱１の側面Ｓｆに開口した逆Ｙ字状の溝部１６ｄに嵌合できる（図８参照）。
【００６６】
図４（Ａ）を参照すると、管状部材２１ｐと支柱部材３１ｐは、高さ調整ねじ１６ｓで連結している。後述するように、高さ調整ねじ１６ｓを操作することで、管状部材２１ｐに対して、支柱部材３１ｐの高さを段階的に変化できる。
【００６７】
図８を参照すると、溝部１６ｄは、垂直溝部Ｓｄと一対の水平溝部Ｈｄ・Ｈｄを有している。垂直溝部Ｓｄに対して、一対の水平溝部Ｈｄ・Ｈｄは、略直交している。プランター収容箱１の側面Ｓｆからカバー部材１６を取り外すことで、高さ調整ねじ１６ｓを操作できる。管状部材２１ｐに対して、支柱部材３１ｐの高さを変化した後に、カバー部材１６をプランター収容箱１の側面Ｓｆに取り付けることで、管状部材２１ｐを外面から覆うことができる（図１参照）。
【００６８】
図１又は図２を参照すると、プランター収容箱１は、カバー部材１６をプランター収容箱１の側面Ｓｆに取り付けた状態では、管状部材２１ｐが露出しないので、外観が優れている。又、カバー部材１６をプランター収容箱１の側面Ｓｆに取り付けた状態では、カバー部材１６は、プランター収容箱１の側面Ｓｆと略面一の状態で溝部１６ｄに嵌合しているので、不要な突起物がなく、安全である。
【００６９】
（架台の構成）
次に、第１実施形態による架台２の構成を説明する。図８を参照すると、台座２１は、長尺の山形鋼からなる一対のチャンネル架２１１・２１１と短尺の山形鋼からなる一対の連結架２１２・２１２を有している。一対のチャンネル架２１１・２１１の両端部には、一対の連結架２１２・２１２の両端部を溶接などで接合している。
【００７０】
図８を参照すると、台座２１は、短尺の山形鋼からなる一組の中間架２１３・２１３を更に有している。一組の中間架２１３・２１３は、それらの両端部を一対のチャンネル架２１１・２１１の中間部に溶接などで接合している。一組の中間架２１３・２１３は、台座２１を補強している。
【００７１】
又、図８を参照すると、架台２は、台座２１の四隅に四つのキャスタ２ｃを固定している。これにより、架台２に搭載された緑化柵３付きのプランター収容箱１を容易に移動できる。
【００７２】
図８を参照すると、管状部材２１ｐは、鋼製の角パイプからなることが好ましく、一方の端縁を連結架２１２の中間部に溶接などで接合している。管状部材２１ｐの他方の端縁は、支柱部材３１ｐを導入可能に開口している。又、管状部材２１ｐは、プランター収容箱１の底部側から溝部１６ｄに挿通できる。
【００７３】
又、図８を参照すると、管状部材２１ｐは、山形鋼からなる一組の斜材２１４・２１４で基端部側が補強されている。斜材２１４は、その一端部をチャンネル架２１１の端部に溶接などで接合している。又、斜材２１４は、その他端部を管状部材２１ｐの２１１の基端部側に溶接などで接合している。
【００７４】
図８を参照すると、管状部材２１ｐは、複数の穴２１ｈを基端部側に開口している。これらの穴２１ｈには、高さ調整ねじ１６ｓを挿通できる（図４（Ｂ）参照）。高さ調整ねじ１６ｓの取り付け位置を変えることで、管状部材２１ｐに対して、支柱部材３１ｐの高さを段階的に変化できる。
【００７５】
（緑化柵の構成）
次に、第１実施形態による緑化柵３の構成を説明する。図１から図５及び図９を参照すると、支柱部材３１ｐは、透明なアクリル樹脂などからなる丸パイプからなることが好ましい。補助部材５１ａ及びバー部材５１ｂは、透明なアクリル樹脂などからなる丸棒で構成することが好ましく、補助部材５１ａ及びバー部材５１ｂを支柱部材５１ｐに溶着などで接合できる。
【００７６】
図９を参照すると、支柱部材３１ｐは、複数の穴３１ｈを基端部側に開口している。これらの穴２１ｈには、高さ調整ねじ１６ｓを挿通できる（図４（Ｂ）参照）。高さ調整ねじ１６ｓの取り付け位置を変えることで、管状部材２１ｐに対して、支柱部材３１ｐの高さを段階的に変化できる。
【００７７】
図１から図５を参照すると、登攀材３１ｃは、透明なアクリル樹脂などからなる丸棒からなることが好ましく、プランター１ｐに植栽したつる植物Ｐｖを登攀させることができる（図１参照）。登攀材３１ｃは、その上端部にエンドキャップ３１ｅを取り付けることが好ましく、登攀材３１ｃの上端部に人体などの一部が接触したときに、人体を損傷から保護できる。
【００７８】
図９を参照すると、登攀材５１ｃは、透明なアクリル樹脂などからなる丸パイプで構成することが好ましく、補助部材５１ａを登攀材３１ｃに溶着などで接合できる。又、登攀材３１ｃは、プランター１ｐに植栽したつる植物Ｐｖを登攀させることができる（図１参照）。登攀材３１ｃを透明体で構成することにより、登攀材３１ｃの内部に配置した発光ダイオード５ｄからつる植物Ｐｖに向かって発光できる。
【００７９】
図１又は図２及び図３（Ａ）を参照すると、複数の登攀材３１ｃは、平面視において、千鳥状（スタッガード）に配列している。これにより、つる植物Ｐｖを登攀させた緑化柵３の美観を向上できる（図１参照）。
【００８０】
［つる植物の登攀材及び緑化装置の作用］
次に、実施形態による登攀材３１ｃ及び緑化装置１０の作用及び効果を説明する。一般に、つる植物は、自立させる丈夫な茎を有しておらず、茎は弱いが長く伸ばして他の植物などに絡みついて、上へ上へと太陽光の方向へ伸長し、少しでも光環境の良い所へ求めて光が射す方向に向かって伸びる特性があることが知られている。
【００８１】
以上のようなつる植物の特性を利用して、実施形態による登攀材３１ｃは、透明な管状部材でつる植物Ｐｖの登攀材３１ｃを構成し、一つ以上の少なくとも白色のＬＥＤ３ｄを登攀材３１ｃの上部の内部に配置し、ＬＥＤ３ｄを夜間の時間帯に発光させることで、人手を要することなく、ＬＥＤ３ｄが発光する方向につる植物を誘引できる。そして、これにより、剪定作業の頻度を低減できる。
【００８２】
実施形態による緑化装置１０は、つる植物Ｐｖを植栽したプランター１ｐを収容した直方体状のプランター収容箱１と、プランター収容箱１を設置し、プランター収容箱１の両端部を貫通自在な一対の管状部材２１ｐ・２１ｐを両端部から立設した架台２と、一対の支柱部材３１ｐ・３１ｐを一対の管状部材２１ｐ・２１ｐに差し込んで自立させ、つる植物Ｐｖの登攀材３１ｃを略水平方向に連設した緑化柵３と、登攀材３１ｃの内部の上部に配置され、つる植物Ｐｖを上方に誘引できる光を発光する複数のＬＥＤ３ｄと、を備え、登攀材３１ｃに登攀するつる植物Ｐｖを積極的に誘引できる。
【００８３】
図１又は図２及び図４又は図９を参照すると、複数の登攀材３１ｃには、赤・青・緑など色相の異なる複数の有彩色のＬＥＤ３ｄを混在して配置してもよく、登攀材３１ｃ毎に同色のＬＥＤ３ｄを配置することが好ましい。複数の登攀材３１ｃには、白色のＬＥＤ３ｄを混在してもよく、色相の異なる複数の有彩色のＬＥＤ３ｄを混在して登攀材３１ｃに配置することで、緑化装置１０の室内装飾性を向上できる。夜間において、室内をきれいな電飾で飾ることができる。
【００８４】
図１を参照して、緑化装置１０を建物の内部に設置することで、緑化柵３を建物の内部の日除け又は仕切りとして利用でき、直射日光から建物の内部を遮蔽すると共に、建物の内部の景観を向上できる。又、つる植物Ｐｖを登攀させた緑化柵３を室内に設置することで、二酸化炭素をつる植物Ｐｖが吸収でき、酸素を供給できる。
【符号の説明】
【００８５】
３ｄ  ＬＥＤ（照明手段）
１０  緑化装置
３１ｃ  登攀材
Ｐｖ  つる植物
【図１】
2019103445.tif 000003
【図２】
2019103445.tif 000004
【図３】
2019103445.tif 000005
【図４】
2019103445.tif 000006
【図５】
2019103445.tif 000007
【図６】
2019103445.tif 000008
【図７】
2019103445.tif 000009
【図８】
2019103445.tif 000010
【図９】
2019103445.tif 000011
【図１０】
2019103445.tif 000012
【図１１】
2019103445.tif 000013